(57)【要約】  本発明は、種々のタイプの携帯型パッド及び／又はカプセル保持器１６、１８、１８'を受容するための空洞１４を定義する本体１２、及び空洞１４を開閉するための本体１２に接続された蓋２０、を備えた煎出ユニット１０と、抽出可能な食品を封入する第１のタイプのパッド又はカプセルを受容するための第１の保持器１６と、抽出可能な食品を封入する第２のタイプのパッド又はカプセルを受容するための第２の保持器１８、１８'と、を有する飲料製造機に関する。空洞１４の形状は、第１又は第２の保持器１６、１８、１８'を受容し得るように構成される。蓋２０は、第１の保持器１６が空洞１４に挿入された場合に、蓋２０と第１の保持器１６との間の第１の煎出室４２を封止するよう構成された第１の封止部材２８と、第２の保持器１８、１８'が空洞１４に挿入された場合に、蓋２０と第２の保持器１８、１８'との間の第２の煎出室４６を封止するよう構成された、第１の封止部材２８とは異なる第２の封止部材３０と、を有する。
2017503565.tif 000002
【特許請求の範囲】
【請求項１】
種々のタイプの携帯型パッド及び／又はカプセル保持器を受容するための空洞を定義する本体、及び前記空洞を開閉するための前記本体に接続された蓋、を備えた煎出ユニットと、
抽出可能な食品を封入する第１のタイプのパッド又はカプセルを受容するための第１の保持器と、
抽出可能な食品を封入する第２のタイプのパッド又はカプセルを受容するための第２の保持器と、
を有する飲料製造機であって、前記第１の保持器又は前記第２の保持器が、前記空洞に選択的に配置され、前記蓋は、前記第１の保持器が前記空洞に挿入された場合に、前記蓋と前記第１の保持器との間の第１の煎出室を封止するよう構成された第１の封止部材と、前記第２の保持器が前記空洞に挿入された場合に、前記蓋と前記第２の保持器との間の第２の煎出室を封止するよう構成された、前記第１の封止部材とは異なる第２の封止部材と、を有する、飲料製造機。
【請求項２】
前記第１の煎出室は、前記第１の保持器が前記空洞に挿入された場合に、前記蓋、前記第１の保持器及び前記第１の封止部材の間の空間に定義され、前記第２の煎出室は、前記第２の保持器が前記空洞に挿入された場合に、前記蓋、前記第２の保持器及び前記第２の封止部材の間の空間に定義される、請求項１に記載の飲料製造機。
【請求項３】
前記第１の保持器は、抽出可能な食品を伴うパッドを受容するよう構成され、前記第２の保持器は、抽出可能な食品を伴うカプセルを受容するよう構成された、請求項１に記載の飲料製造機。
【請求項４】
前記第１の封止部材及び前記第２の封止部材は、前記蓋の底側に配置され、前記第１の封止部材が、前記第２の封止部材よりも前記底側の大きな領域を囲む、請求項１に記載の飲料製造機。
【請求項５】
前記第１の封止部材と前記第２の封止部材とは、互いに対して同心に配置された、請求項１に記載の飲料製造機。
【請求項６】
前記蓋は、前記第２の封止部材により囲まれた少なくとも１つの液体供給開口を有する、請求項１に記載の飲料製造機。
【請求項７】
前記第１の封止部材及び前記第２の封止部材は、前記蓋の底側に配置され、前記少なくとも１つの液体供給開口が、前記底側に配置され、少なくとも前記第１の封止部材と前記第２の封止部材との間において、前記底側に複数の突出部が配置された、請求項６に記載の飲料製造機。
【請求項８】
前記蓋は、ヒンジを介して前記本体に接続された、請求項１に記載の飲料製造機。
【請求項９】
前記煎出ユニットに液体を供給するための液体供給部と、
前記液体を加熱するための加熱器と、
前記液体供給部及び／又は前記加熱器を制御するためのコントローラと、
前記第１の保持器及び前記第２の保持器のいずれのタイプの保持器が前記空洞に挿入されたかを検出するための検出器と、
を更に有し、前記コントローラは、前記検出された保持器のタイプに依存して、前記液体供給部及び／又は前記加熱器のパラメータを変更するよう構成された、請求項１に記載の飲料製造機。
【請求項１０】
請求項１に記載の飲料製造機のための携帯型カプセル保持器であって、
抽出可能な食品を封入するカプセルを受容するための略カップ型のカプセル受容部を有する基部と、
前記カプセル受容部を開閉するための保持器の蓋と、
前記容器に受容されたカプセルを押し出すための押し出し機構と、
を有する、携帯型カプセル保持器。
【請求項１１】
前記押し出し機構は、レバーと、前記レバーを動かすための作動要素と、を有し、前記レバーは、前記カプセルを押し出すため前記カプセルのフランジ部と係合するよう構成された、請求項１０に記載の携帯型カプセル保持器。
【請求項１２】
前記保持器の蓋は、ヒンジを介して前記基部に接続され、前記押し出し機構は更に、前記作動要素の作動に応じて前記保持器の蓋を開くように構成された、請求項１０に記載の携帯型カプセル保持器。
【請求項１３】
前記作動要素は、第１のばね要素によりばね荷重をかけられており、前記作動要素は、押しボタン、スライダ、又は、前記携帯型カプセル保持器のハンドル部において配置され互いに向かって押されることができる２本の梁を有する、請求項１１に記載の携帯型カプセル保持器。
【請求項１４】
前記基部は、第２のばね要素を介して互いに接続された、第１の基部部分と第２の基部部分とを有する、請求項１０に記載の携帯型カプセル保持器。
【請求項１５】
前記基部は、前記第１の基部部分と前記第２の基部部分との間に配置された封止要素を有する、請求項１４に記載の携帯型カプセル保持器。
【請求項１６】
前記カプセルに穿孔するための１つ以上の穿孔要素を更に有する、請求項１０に記載の携帯型カプセル保持器。
【請求項１７】
前記基部は更に、１つ以上の開口を持つスクリーン板を有し、前記１つ以上の開口を通して、液体が前記カプセル受容部に導入されることができ、前記スクリーン板は、前記基部の第１の側に配置され、前記保持器の蓋は、前記第１の側とは反対側の前記基部の第２の側に配置され、前記１つ以上の穿孔要素は、前記スクリーン板に配置された、請求項１６に記載の携帯型カプセル保持器。
【請求項１８】
前記基部は、第３のばね要素を介して前記スクリーン板に接続された、第２の基部部分を有する、請求項１７に記載の携帯型カプセル保持器。
【発明の詳細な説明】
【技術分野】
【０００１】
本発明は、例えばコーヒーマシン及び／又はエスプレッソコーヒーマシンのような、飲料製造機に関する。本発明は特に、１杯分用の自動又は半自動コーヒーマシン及び／又はエスプレッソコーヒーマシンに関する。更に、本発明は、１杯分用の飲料製造機のための携帯型カプセル保持器に関する。
【背景技術】
【０００２】
１杯分用の自動又は半自動コーヒーマシン及び／又はエスプレッソコーヒーマシンは、ますます人気が高くなっている。完全自動コーヒーマシン（豆からカップまでを扱うコーヒーマシン）に比べた、これらの１杯分用のコーヒーマシンの主な利点は、低減させられた複雑さ、及びより衛生的な利用である。完全自動コーヒーマシンに比べた低減された複雑さのため、斯かる１杯分用のコーヒーマシンは、比較的手頃な価格で消費者に提供され得る。また、１杯分用のコーヒーマシンは、消費者にとって取り扱いが容易である。更に、コーヒーを煎出するために必要とされる時間が短縮され、大型の容器から分量、調味料及び添加物を量り分ける必要性を取り除くことにより煎出工程も簡略化される。
【０００３】
１杯分用のコーヒーマシンは、パッド又はカプセル内に封入された挽かれたコーヒー又はコーヒー粉からコーヒーを抽出するための基本的原理に依存している。これらパッド又はカプセルは、製造機の煎出ユニットの封止された煎出室へと挿入される。その後、温水又は冷水が該煎出室へと及び該パッド又はカプセルへと注入又は放散され、それによりコーヒーが抽出され得るようにする。使用されたパッド又はカプセルは、次いで捨てられ得る。該パッド又はカプセル内に封入された原料に依存して、種々のタイプのコーヒー及び／又はエスプレッソコーヒーの調製法及び風味が供給され得る。これらのタイプの１杯分用の製造機によって、紅茶、温かいココア、スープ又はその他のタイプの温かい又は冷たい飲料さえも抽出することが可能である。それ故、これら製造機はここでは一般的に飲料製造機と示される。
【０００４】
斯かる製造機の一例は、Senseo社の名前で本出願人により販売されている。このタイプの製造機は、抽出可能な食品が封入された柔らかいパッドを利用している。これら柔らかいパッドは、ポッドと示されることもある。
【発明の概要】
【発明が解決しようとする課題】
【０００５】
しかしながら、他の１杯分用の製造機の供給者は、違う形状又はサイズのパッド、又は違う形状及びサイズのカプセルを利用している。これら違う形状及びサイズのパッド及びカプセルは、特定のパッド又はカプセルの形状及びサイズに専用に適合されたコーヒーマシン内の異なる容器を必要とするだけではない。ことなる製造機タイプは、技術的な観点からも異なる。カプセルを用いる機械は通常、約１．２乃至１．９ｂａｒの圧力を利用するSenseo社の機械のような、より大きな及びより柔らかいパッドを用いる機械よりも、高い圧力（約５乃至１９ｂａｒ）を利用する。それ故、煎出ユニットの技術的な設計が、これらの異なる機械タイプについては、大きく異なる。
【０００６】
異なるタイプのパッド又はカプセルを利用した場合、異なるタイプの器具が必要となる。このことは、台所においてそれぞれが特定の動作方法を持ち場所を浪費する異なる機械を意味し得る。
【０００７】
国際特許出願公開WO2013/079814A1及び米国特許出願公開US2013/0133522A1は、異なるサイズ及び形状のパッド及びカプセルを用いることを可能とする１杯分用のコーヒーマシンに関連する。ここでは比較的複雑なアダプタが用いられ、各タイプのパッド又はカプセルに１つのアダプタが用いられる。これらアダプタは、比較的取り扱いが不快なものである。該アダプタは通常、種々のアダプタのうちの１つに新たなパッド又はカプセルが挿入されるたびに消費者によって正確な態様で組み立てられる必要がある、複数の種々の部品を有する。これに加え、煎出ユニット内の適切にバランスのとれた力の配分及び煎出室の適切な封止を確実にすることが、依然として難しい。
【０００８】
斯くして、依然として改善の余地がある。
【０００９】
本発明の目的は、異なる種類のパッド及びカプセルと共に用いられることができる、改善された１杯分用の飲料製造機を抵抗することにある。特に、煎出室内の封止及び力の配分が、用いられるカプセル又はパッドの種類にかかわらず、改善させられる。更なる目的は、斯かる飲料製造機のための改善されたカプセル保持器を提供することにある。
【課題を解決するための手段】
【００１０】
本発明の第１の態様においては、
種々のタイプの携帯型パッド及び／又はカプセル保持器を受容するための空洞を定義する本体、及び前記空洞を開閉するための前記本体に接続された蓋、を備えた煎出ユニットと、
抽出可能な食品を封入する第１のタイプのパッド又はカプセルを受容するための第１の保持器と、
抽出可能な食品を封入する第２のタイプのパッド又はカプセルを受容するための第２の保持器と、
を有する飲料製造機であって、前記第１の保持器又は前記第２の保持器が、前記空洞に選択的に配置され、前記蓋は、前記第１の保持器が前記空洞に挿入された場合に、前記蓋と前記第１の保持器との間の第１の煎出室を封止するよう構成された第１の封止部材と、前記第２の保持器が前記空洞に挿入された場合に、前記蓋と前記第２の保持器との間の第２の煎出室を封止するよう構成された、前記第１の封止部材とは異なる第２の封止部材と、を有する、飲料製造機が提示される。
【００１１】
本発明の第２の態様においては、上述した飲料製造機のための携帯型カプセル保持器であって、
抽出可能な食品を封入するカプセルを受容するための略カップ型のカプセル受容部を有する基部と、
前記カプセル受容部を開閉するための蓋と、
前記容器に受容されたカプセルを機械的に押し出す押し出し機構と、
を有する携帯型カプセル保持器が提示される。
【００１２】
本発明の好適な実施例は、従属請求項に定義される。本発明の携帯型カプセル保持器は、従属請求項において定義された、本発明の飲料製造機と類似する及び／又は同一の好適な実施例を持ちその逆も成り立つことは、理解されるべきである。
【００１３】
本発明の飲料製造機は、特にコーヒーマシン及び／又はエスプレッソコーヒーマシンとして実現されても良い。実際には、本発明は例えば、以下に更に詳細に説明されるように、柔らかいパッドのみならずカプセルもが内部で利用され得るように変更された、Senseo社の製造機において適用されても良い。該製造機は、該製造機内の空洞により定義された同一の容器に選択的に配置され得る少なくとも２つの別個の携帯型保持器を有する。
【００１４】
第１の保持器は好適には、抽出可能な食品を伴う柔らかいパッドを受容するように構成され、第２の保持器は好適には、カプセルを受容するように構成される。斯かるパッドとカプセルとの異なる概念のため、このことは、同じ製造機を用いて、種々のタイプの「通常の」コーヒー及び／又はエスプレッソコーヒーを煎出することを可能とする。例えば、消費者が「通常の」コーヒーを飲みたい場合、該消費者は、柔らかいパッドを用いて、該パッドを第１の保持器とともに煎出ユニットに挿入しても良い。他方、消費者がエスプレッソコーヒーを飲みたい場合、該消費者はカプセルを利用して、該カプセルを第２の保持器とともに煎出ユニットに挿入しても良い。このことは、パッドを伴う第１の保持器か、又はカプセルを伴う第２の保持器が利用されることを意味する。
【００１５】
最初のパラグラフで言及した先行技術文献（国際特許出願公開WO2013/079814A1及び米国特許出願公開US2013/0133522A1）で提示された製造機とは異なり、ここで提示される製造機は特に、改善された封止及び圧力分配の概念を提供するとともに、別個の部品の消費者にとって容易な取り扱いを可能とする。消費者は、適切な携帯型保持器を選び、該選択された携帯型保持器にパッド又はカプセルを挿入し、次いで該パッド又はカプセルと共に該携帯型保持器を、煎出ユニットの本体内の常に同じ容器に挿入して、最終的に接続ユニットの蓋を閉じ、煎出工程を開始する（例えばボタンを押下することによって）だけで良いため、ここで提示される製造機の取り扱いは消費者にとって容易である。
【００１６】
上述した先行技術文献において示されたような製造機によるような、複数の部品のアダプタの複雑な予めの組み立ては必要とされない。ここで提示される製造機の重要な特徴のひとつは、種々のパッド／カプセル保持器自体が、上述した先行技術文献において示されたアダプタのような封止された室を形成するのではなく、煎出ユニットの本体に接続された蓋とあわせて封止された煎出室を形成することである。そのため該蓋は、異なる封止部材、即ち、第１の保持器が煎出ユニットの空洞に挿入された場合に、該蓋と第１の保持器との間の第１の煎出室を封止するよう構成された第１の封止部材と、第２の保持器が煎出ユニットの空洞に挿入された場合に、該蓋と第２の保持器との間の第２の煎出室を封止するよう構成された第２の封止部材と、を有する。これら２つの異なる封止部材は、好適には該蓋に組み込まれる。ここで「第１の煎出室」及び「第２の煎出室」なる用語は単に、煎出ユニットの蓋とあわせて２つの保持器の一方により形成される、２つの異なるサイズ及び形状の煎出室を区別するために用いられる。換言すれば、第１の保持器が煎出ユニットに挿入された場合には、当該第１の保持器が、制御ユニットの蓋と協働して、該蓋が閉じられるとすぐに、第１の煎出室を形成する。第２の保持器が煎出ユニットに挿入された場合には、該第２の保持器が、制御ユニットの蓋と協働して、該蓋が閉じられるとすぐに、第２の煎出室を形成する。このことは、２つの保持器のうちどちらが煎出ユニットに挿入されたかに依存して、２つの異なるサイズ及び形状の煎出室に帰着することを意味する。第１の煎出室は、第１の封止部材により封止され、第２の煎出室は、第１の封止部材とは異なる第２の封止部材により封止される。
【００１７】
更に換言すれば、第１の保持器が前記空洞に挿入された場合には、該蓋、第１の保持器及び第１の封止部材の間に第１の煎出室が形成され、第２の保持器が前記空洞に挿入された場合には、該蓋、第２の保持器及び第２の封止部材の間に第２の煎出室が形成される。
【００１８】
該製造機の好適な実施例によれば、第１の封止部材及び第２の封止部材は、該蓋の底側に配置され、第１の封止部材が、第２の封止部材よりも該底側の大きな領域を囲む。いずれの封止部材も、好適には閉じたループを形成する。第１の封止部材と第２の封止部材とは、好適には異なるサイズの円形の封止環、即ち異なる直径を持つ封止環として実現される。しかしながら、これら封止部材は、例えば長方形又は二次的な形状のような、他の形状を持っていても良い。
【００１９】
前記第１の封止部材が第２の封止部材よりも大きな領域を囲む場合、このことは、第１の保持器が挿入されたときに該第１の封止部材により封止される第１の煎出室が、第２の保持器が煎出ユニットに挿入されたときに該第２の封止部材により封止される第２の煎出室よりも大きい又は該第２の煎出よりも大きな直径を持つことを意味する。これにより、好適にはパッドのために利用される第１の保持器が、好適にはカプセルのために利用される第２の保持器よりも大きい又は該第２の保持器よりも大きな直径を持つこととなる。これら異なるサイズとされた煎出室は、どのタイプの携帯型保持器が煎出ユニットに挿入されるかに依存して、煎出室内の（第２の煎出室に対する第１の煎出室の）圧力が、いわば自動的に適合させられるという利点に導く。斯くして、パッドのために設計された第１の保持器は好適には、約１．２乃至１．９ｂａｒの低い圧力が利用される、「通常の」コーヒーを煎出するために利用されても良い。通常はパッドよりも小さな直径を持つカプセルのために設計された、小さな第２の保持器は好適には、約５乃至１９ｂａｒの高い圧力が利用される、エスプレッソコーヒーを煎出するために利用されても良い。
【００２０】
通常柔らかいパッドのために利用される大きな煎出室内の５乃至１９ｂａｒの高い圧力が、蓋にかかる力を著しく増大させるため、異なるサイズを持つようにされた煎出室に起因する上述した圧力の差は特に必要である。斯かる力は、機械的な不安定性、漏れ、又は煎出ユニットの破壊にさえも導き得る。しかしながら、煎出室がより小さくなるよう選択されるため、より小さな第２の保持器が挿入された場合に煎出ユニットにかかる全体の力は、より大きな第１の保持器が煎出ユニットに挿入された場合と略同じとなる。換言すれば、第２の煎出室に比較して第１の煎出室に異なる圧力が生成されるが、より小さな第２の保持器が煎出ユニットに挿入される場合、煎出ユニットの蓋にかかる圧力が過度に増大しない。
【００２１】
種々のサイズの煎出室により、液体の流れの挙動も、第２の煎出室に比べて第１の煎出室においては非常に異なる。柔らかいパッドの外にコーヒーを抽出するための液体の流れの挙動は、カプセルの外にエスプレッソを抽出するために必要とされる液体の流れの挙動とは異なるべきであるため、このことも有利である。エスプレッソのカプセルが柔らかいパッドのための煎出室と同じくらい大きい煎出室に置かれ、エスプレッソのために必要とされる少ない体積の水が利用されたとすると、大きな熱損失に帰着し、冷たいエスプレッソに帰着してしまうこととなる。
【００２２】
それ故、第１の保持器（パッド保持器）は、煎出ユニットに挿入されたときに大きな第１の封止要素にのみ係合し、第２の保持器（カプセル保持器）は好適には、煎出ユニットに挿入されたときに小さな第２の封止要素にのみ係合することが、明らかであろう。しかしながら、２つの異なる封止要素は既に蓋に組み込まれているので、消費者はそれぞれの保持器を挿入して蓋を閉めるだけで良いため、消費者はこの事実を認識さえせずに、適切な封止要素が自動的にそれぞれの保持器に自動的に係合することできる。
【００２３】
更なる実施例によれば、第１の封止部材と第２の封止部材とは、互いに同心に配置される。同心の配置は、第１及び第２の保持器の対称的な設計を実現し、従って第１及び第２の煎出室の対称的な設計を実現する。このことは、最適な力の配分に導く。
【００２４】
更なる実施例によれば、前記蓋は、前記第２の封止部材により囲まれた少なくとも１つの液体供給開口を有する。好適には、複数の液体供給開口が、該蓋の当該領域に備えられる。第１の封止部材と第２の封止部材との間の領域においては、液体供給開口は備えられない。このことは、どの保持器が煎出ユニットに挿入されるかにかかわらず、それぞれの煎出室に液体（好適には熱水）を注入するために、同じ液体供給開口が利用されることを意味する。大きな第１の保持器が煎出ユニットに挿入されたときには、第２の封止部材は封止機能を持たないため、注入される液体は斯くして広い領域に分配され、「通常の」コーヒーを煎出するのに適した低い圧力に導く。小さな第２のカプセル保持器が挿入された場合には、第２の煎出室は、小さな第２の封止部材によって封止されることとなり、そのため注入される液体は、小さな領域にのみ分配され、エスプレッソコーヒーを煎出するのに適した高い圧力に導く。
【００２５】
前記第１の封止部材及び前記第２の封止部材は、好適には前記蓋の底側に配置され、当該底側には前記少なくとも１つの液体供給開口が配置され、少なくとも前記第１の封止部材と前記第２の封止部材との間における前記底側に、複数の突出部が配置される。
これら突出部は、換言すれば、液体供給開口が配置されていない、第１の封止部材と第２の封止部材との間に配置される。該突出部は、前記蓋の底側から突出する小さなニップルとして実現されても良い。蓋の「底側」との用語は、蓋が閉じられたときに煎出室に向く、該蓋の側を示す。該突出部は主に、コーヒーの調製の後に蓋が開けられたときに、第１の保持器に挿入された柔らかいパッドが該蓋の底側にくっつくのを防ぐ、離隔要素として機能する。このことは、柔らかいパッドを取り外すことを容易化する。また、パッドがコーヒーを煎出するために利用されるときに、注入される液体が第１の煎出室に亘って均等に分配されることを可能とする。
【００２６】
該蓋自体は好適には、ヒンジを介して煎出ユニットの本体に接続される。斯くして、該蓋は容易に開閉されることができる。
【００２７】
以上のパラグラフは、主に蓋の設計、煎出ユニット及び種々の封止部材に挿入され得る種々の保持器に焦点を当てたが、一般的に該飲料製造機は更に、第１又は第２の煎出室に液体を供給するための液体供給部と、煎出室に供給される前に液体を加熱するための加熱器と、該液体供給部及び／又は該加熱器を制御するためのコントローラと、を有することは明らかであろう。望ましい製法に依存して、該コントローラは特に、液体の量、液体の流量、及び／又は加熱器の加熱パワーを制御しても良い。
【００２８】
更なる実施例によれば、該飲料製造機は更に、第１の保持器及び第２の保持器のうちどちらのタイプの保持器が煎出ユニットの空洞に挿入されたかを検出するための検出器を有しても良い。この場合には、該コントローラは、検出された保持器のタイプに依存して、液体供給部及び／又は加熱器のパラメータを変更するよう構成されても良い。
【００２９】
既に上述したように、好適にはパッドのために設計された第１の保持器はコーヒーを煎出するのに適し、好適にはカプセルのために設計された第２の保持器はエスプレッソコーヒーを煎出するのに特に適している。また上述したように、「通常の」コーヒーを煎出することは、エスプレッソコーヒーを煎出する場合とは違う（より低い）圧力を必要とする。異なるサイズの封止部材及び煎出室による自動的な圧力の適合に加え、前記コントローラが、選択された製法のタイプに応じて圧力及び／又は液体の流量を能動的に変更しても良い。例えば、コーヒーが煎出されるべき場合であり、パッドを含む第１の保持器が挿入された場合には、該コントローラは、より高い流量で、より多くの量の液体を供給するよう、液体供給部を制御しても良い。エスプレッソが煎出されるべき場合であり、カプセルを含む第２の保持器が煎出ユニットに挿入された場合には、該コントローラは、より低い流量で、より少ない量の液体を供給するよう、液体供給部を制御しても良い。
【００３０】
煎出ユニットに挿入された保持器のタイプを検出するための検出器は、例えば光学的、誘導的又は機械的な検出器のような、複数の異なる方法で実現され得る。最も容易な方法は、より大きな第１の保持器が挿入されたときにのみ作動させられる小型のボタンを備えることであろう。
【００３１】
本発明はまた、カプセル保持器（以上において一般的に第２の保持器と示されている）に関する。当該カプセル保持器は、抽出可能な食品を有するカプセルを受容するための、略カップ状のカプセル受容部を備えた基部を有する。該カプセル保持器は更に、本体に接続されたハンドル部を有する。該ハンドル部は、ユーザが手でカプセル保持器を把持することを容易化するため、把持部の形で設計されても良い。該カプセル保持器は更に、カプセル受容部を開閉するための保持器の蓋を有し、カプセル受容部と保持器の蓋とがあわせて封止された室を定義する。それ故、カプセル保持器の蓋は、ここではスタッド板とも示される。更に、本発明のカプセル保持器は、カプセル受容部に受容されたカプセルを機械的に押し出す押し出し機構を有する。
【００３２】
該押し出し機構は、使用済みのカプセルをユーザが容易に取り出すことを可能とする。このことは、以下の利点を持つ。煎出工程の間に生じ得る高い圧力のため、カプセルはカプセル受容部のなかで僅かに変形又は伸張し得るため、カプセルはカプセル受容部のなかに詰まり、手で取り出すことは困難となり得る。更に、ユーザの手とカプセルとの直接の接触が回避され得る。このことは、容易で衛生的なカプセル保持器の取り扱いを実現する。
【００３３】
本発明によるカプセル保持器は、携帯型の、ハンドヘルド型保持器、即ち非内蔵型の保持器であることは、留意されるべきである。換言すれば、本発明による携帯型のカプセル保持器は、温かい飲料（コーヒー）の製造機に内蔵されたものではなく、交換可能なものである。それ故、該携帯型のカプセル保持器は、一種のアダプタとみなされ得る。該携帯型のカプセル保持器の外面形状、特に基部及び保持器の蓋の外面形状は、該飲料製造機の保持器受容部に受容されるよう構成される。
【００３４】
一実施例によれば、該携帯型のカプセル保持器の押し出し機構は、レバーと該レバーを動かすための作動要素とを有し、該レバーは、カプセルを押し出すためカプセルのフランジ部と係合するよう構成される。斯くして、コーヒー又はエスプレッソコーヒーが煎出された後に、使用済みのカプセルを取り出すためには、ユーザは作動要素を作動させるだけで良い。該作動要素は、好適にはボタンを有する。実用的には、このことは、コーヒーが煎出された後に、ユーザは、携帯型のカプセル保持器を取り出し、ボタンを押すか又は引き、それにより例えばビンの上にカプセルを押し出す。次いで、新たなカプセルが、該携帯型のカプセル保持器のカプセル受容部に挿入される。押しボタンが作動させられるとすぐにカプセルのフランジ部に係合する上述したレバーは、該ボタンに対して、直接に結合されていても良いし、又は間接的に結合されていても良い。例えば、ボタンの動きをレバーの動きへと伝達するギアを、これら２つの部分の間に配置することも想到可能である。しかしながら、該ボタンが該レバーに直接に結合されていても良い。
【００３５】
更なる実施例によれば、該保持器の蓋は、ヒンジを介して基部に接続され、押し出し機構は、カプセルを押し出すよう構成されるのみならず、作動要素の作動に応じて保持器の蓋を開くようにも構成される。この場合には、押し出し機構のレバーは、２つの機能、即ち、カプセルのフランジに係合して、該フランジを保持器の受容部から押し出す機能と、押しボタンの作動に応じて蓋を開ける機能と、を持ち得る。カプセル保持器の基部と蓋／スタッド板とを２つの別個の部品として実現することも想到され得るが、斯かる一体化された構成は、ユーザにとっての取り扱いを更に容易化する。
【００３６】
更なる実施例によれば、前記作動要素は、第１のばね要素によりばね荷重をかけられており、前記作動要素は、押しボタン、スライダ、又は、前記携帯型のカプセル保持器のハンドル部において配置され互いに向かって押されることができる２本の梁を有する。ここで「第１のばね要素」なる用語は単に、以下に更に説明される他の（第２及び第３の）ばね要素と当該ばね要素を区別するために用いられる。第１のばね要素は好適には、押しボタン、スライダ、又は２本の梁（それぞれ）及びレバーを、作動されていない位置へと戻すよう押すものであり、該位置は、挿入されたカプセルが取り出されない、及び保持器の蓋／スタッド板が閉位置にある位置を意味する。本実施例は、ユーザがボタンを押すか、スライダを動かすか、又は２本の梁を互いに向けて押すだけで、カプセルを押し出す及び／又は保持器の蓋を開くことができ、保持器の蓋は、該ボタン、スライダ又は２本の梁（それぞれ）を離した後に自動的に閉じるため、ユーザにとっての取り扱いを更に容易化する。上述した２本の梁は、携帯型のカプセル保持器のハンドル部に組み込まれても良い。一実施例によれば、これら２本の梁は、該ハンドル部の両側に配置され、これら２本の梁が、両側から横向きに該ハンドル部を押すことによって互いに向けて押され得るようにされる。斯かる作動要素の「横向き」の構成は、保持器の蓋／スタッド板が、より人間工学的な態様で開かれることができ、新たなカプセルを入れるために携帯型のカプセル保持器を逆さまに保持する必要があるときに特に有利であるという利点を提供する。
【００３７】
更なる実施例によれば、前記基部は２つの部分、即ち、第２のばね要素を介して互いに接続された、第１の基部部分と第２の基部部分とを有する。それ故、これら２つの基部は、互いに相対的に移動可能である。該第２のばね要素は、これら２つの基部を、予め定義された機械的床止めまで、互いから離れるよう押す拡大要素として機能する。該第２のばね要素はまた、複数の別個のばね要素を有しても良い。このことは、携帯型のカプセル保持器が煎出ユニットに挿入され、蓋が閉じられたときに、保持器の蓋が僅かに予め負荷をかけられるという主な利点を持つ。このことは特に、蓋が閉じられたときに基部が僅かに圧縮され、それにより初期の封止をもたらすのに十分な初期の力がかけられるため、保持器の蓋とカプセル保持器の基部との間の封止を改善する。このことは、注入された液体が、接触面を通して漏れることを防止する。
【００３８】
携帯型のカプセル保持器の更なる実施例によれば、前記基部は、第１の基部部分と第２の基部部分との間に配置された封止要素を有する。当該封止要素は、一種の圧力補償器として機能する。液体がカプセルに注入されるとすぐに、煎出室内の圧力は著しく上昇する。カプセル保持器の基部の２つの部分、即ち第１の基部部分及び第２の基部部分は、互いから離れるよう僅かに動く。このとき、上述した封止要素は、第２の基部部分に対する第１の基部部分の動きを補償し、封止が維持されるようにする。
【００３９】
更なる実施例によれば、前記携帯型のカプセル保持器は更に、前記カプセルに穿孔するための１つ以上の穿孔要素を有する。これら穿孔要素は、カプセルを破裂させるため、及びカプセルの底側に１つ以上の穴を開けるため、利用されても良い。このことは、底側に予め開けられた穴を有さないカプセルを利用することを可能とする。斯かる穿孔要素は、カプセル内部への流体の進入を改善させ得る。
【００４０】
斯かる穿孔要素が備えられる場合、該穿孔要素は、該携帯型のカプセル保持器の基部をカバーするスクリーン板に配置されることが好適である。該スクリーン板は、保持器の蓋の反対側に配置される。換言すれば、該スクリーン板は、保持器の基部の上側に配置され、保持器の蓋は、保持器の基部の底側に配置される。該穿孔要素に加えて、該スクリーン板は、１つ以上の開口を有し、該開口を通して、液体がカプセル受容部に挿入され次いでカプセルに挿入される。
【００４１】
前記基部は好適には、第３のばね要素を介して前記スクリーン板に接続された、第２の基部部分を有する。換言すれば、該スクリーン板はばね荷重をかけられており、煎出ユニットの蓋が閉じられ、該スクリーン板に押し付けられるとすぐに、該スクリーン板が下向きに動くこととなる。このスクリーン板の下向きの動きは、前記１つ以上の穿孔要素を、カプセルの底側に押し付ける。斯くして、煎出ユニットの蓋が閉じられるとすぐに、カプセルが穿孔される。第３のばね要素はまた、該スクリーン板の予張力を提供し、該携帯型のカプセル保持器と煎出ユニットの蓋との間に、好適な封止効果が確立されるようにする。このことは、該スクリーン板に備えられた１つ以上の開口を介して液体が直接にカプセル保持器に入ることを確実にし、また液体がカプセルに入らずにカプセルのまわりを流れることを防止する。
【００４２】
本発明のこれらの及び他の態様は、以下に説明される実施例を参照しながら説明され明らかとなるであろう。
【図面の簡単な説明】
【００４３】
【図１】本発明の実施例による飲料製造機の煎出ユニット、第１の携帯型保持器及び第２の携帯型保持器の斜視図を示す。
【図２】第１の保持器が煎出ユニットに挿入された、飲料製造機の煎出ユニットの断面図を示す。
【図３】第２の保持器の第１の実施例が煎出ユニットに挿入された、飲料製造機の煎出ユニットの断面図を示す。
【図４】第２の保持器の第２の実施例が煎出ユニットに挿入された、飲料製造機の煎出ユニットの断面図を示す。
【図５（Ａ）】挿入された状態の図３に示された第２の保持器の第１の実施例の図を示す。
【図５（Ｂ）】挿入された状態の図３に示された第２の保持器の第１の実施例の図を示す。
【図５（Ｃ）】挿入された状態の図３に示された第２の保持器の第１の実施例の図を示す。
【図６（Ａ）】挿入された状態の図４に示された第２の保持器の第２の実施例の図を示す。
【図６（Ｂ）】挿入された状態の図４に示された第２の保持器の第２の実施例の図を示す。
【図６（Ｃ）】挿入された状態の図４に示された第２の保持器の第２の実施例の図を示す。
【図７（Ａ）】第２の保持器の第３の実施例の図を示す。
【図７（Ｂ）】第２の保持器の第３の実施例の図を示す。
【図７（Ｃ）】第２の保持器の第３の実施例の図を示す。
【図７（Ｄ）】第２の保持器の第３の実施例の図を示す。
【図８（Ａ）】第２の保持器の第４の実施例の図を示す。
【図８（Ｂ）】第２の保持器の第４の実施例の図を示す。
【図８（Ｃ）】第２の保持器の第４の実施例の図を示す。
【発明を実施するための形態】
【００４４】
図１は、本発明による飲料製造機の煎出ユニット１０の実施例を示す。当該煎出ユニット１０は、柔らかいパッドから又はカプセルからコーヒーを抽出することを可能とする、１杯分用のコーヒーマシン及び／又はエスプレッソコーヒーマシンにおいて特に利用され得る。斯かる１杯分用のコーヒーマシン及び／又はエスプレッソコーヒーマシンにおいて通常含まれる残りの部分は、簡潔さの理由のため図示されていない。煎出ユニット１０に加えて、斯かる１杯分用のコーヒーマシン及び／又はエスプレッソコーヒーマシンは通常、液体タンク、煎出ユニットに液体を供給するためのポンプを含む液体供給部、液体を煎出ユニットに供給する前に該液体を加熱するための加熱器、及び該液体供給部及び／又は該加熱器を制御するためのコントローラを有する。勿論、該製造機はまた、並列に又は直列に配置されていても良い幾つかの加熱器を有しても良い。
【００４５】
本発明の焦点は、煎出ユニット１０、及び煎出ユニット１０に挿入され得る種々のタイプのパッド及びカプセルの保持器であるため、以下に説明される図は、主にこれらの基本的な特徴を示している。
【００４６】
図１は、本発明による煎出室１０の実施例の上部を示す。当該煎出室１０は、煎出室１０の下部を形成する本体１２を有する。本体１２の内部は、種々のタイプの携帯型のパッド保持器１６又は携帯型のカプセル保持器１８を受容するための空洞１４を有する。第１の保持器１６及び第２の保持器１８の実施例は、図１の下部に示されている。第１の保持器１６は、抽出可能な食品（例えば挽かれたコーヒー）が入れられた柔らかいパッドのために設計されている。第２の保持器１８は、抽出可能な食品を封入したカプセルのために設計されている。
【００４７】
空洞１４及び携帯型の保持器１６、１８の設計は、パッド保持器１６及びカプセル保持器１８のいずれの保持器もが、付加的なアダプタの必要なく、煎出室１０に選択的に挿入されることができるように選択される。このことは、柔らかいパッドを用いる場合もカプセルを用いる場合も、同一の１杯分用のコーヒーマシン及び／又はエスプレッソコーヒーマシンを利用することを可能とする。
【００４８】
煎出ユニット１０は更に、ヒンジ２２を介して本体１２に接続された蓋２０を有する。斯くして蓋２０は、空洞１４を開閉することを可能とする。蓋２０が開いている場合（図１に示される）、保持器１６、１８の一方が空洞１４に置かれることができる。蓋２０が閉じられている場合（図２乃至４に示される）、蓋２０は煎出ユニット１０を外部から封止し、飲料（例えばコーヒー及び／又はエスプレッソコーヒー）が煎出され得るようにする。
【００４９】
蓋２０の底側２４には、複数の液体供給開口２６が配置される。これら液体供給開口は、液体供給部に接続され、蓋２０が閉じられ煎出工程が開始されるとすぐに、煎出ユニット１０の内部へ液体（好適には熱水）を注入するよう機能する。蓋２０は更に、２つの封止部材、即ち第１の封止部材２８及び第２の封止部材３０を有する。封止部材２８、３０はいずれも、蓋２０の底側２４に配置される。これら封止部材２８、３０は、コーヒー煎出工程の間、煎出ユニット１０内の煎出室を封止する。
【００５０】
図１に示された実施例においては、封止部材２８、３０はいずれも、互いと同心に配置された円形の封止環として実現される。しかしながら、蓋２０の形状に依存して、これら封止部材２８、３０は、必ずしも円形の封止環である必要はなく、長方形又は二次的な形状の封止部として実現されても良いことは、留意されるべきである。これら２つの封止部材２８、３０が互いに対して同心に配置されることは、必須ではないが、好適である。封止部材２８、３０はいずれも、好適には蓋２０に内蔵される。しかしながら、このことはこれら部材が交換可能ではないことを意味しない。
【００５１】
２つの封止部材２８、３０は、本発明の中核的な特徴のひとつを形成する。第１の封止部材２８は、第１の保持器１６が煎出ユニット１０に挿入されたときに、煎出室を封止する。この場合、第２の封止部材３０は、何らの封止機能をも持たない。第２の封止部材３０は、第２の保持器１８が煎出ユニット１０に挿入されたときにのみ機能する。この場合、第１の封止部材２８は、煎出室の封止に寄与しない。このことは、蓋２０に内蔵された２つの封止部材２８、３０の各々が、異なる機能を持ち、第１の保持器１６が使用されるときには第１の封止部材２８が重要であり、第２の保持器１８が使用されるときには第２の封止部材３０が重要であることを意味する。
【００５２】
第１の封止環２８は、第２の封止環３０よりも大きな直径を持ち、即ち底側２４のより大きな領域を囲む。第１の封止環２８のサイズは、第１の保持器１６の上側のフランジ３２のサイズに適合され、第２の封止環３０のサイズは、第２の保持器１８の上側のフランジ３４のサイズに適合される。この理由は、以下の図２乃至４の詳細な説明により明らかとなるであろう。
【００５３】
図１において、蓋２０が、蓋２０の底側２４に配置された複数の突出部３８を有することが、更に分かる。これら突出部３８は、第１の封止環２８と第２の封止環３０との間の空間に少なくとも配置される。しかしながら、これら突出部３８の幾つかは、第２の封止部材３０により囲まれた領域にも配置されても良い。突出部３８は、小さなニップルの形状を持つ。これらニップルは、煎出ユニット１０が閉じられて、第１の保持器１６に挿入された柔らかいパッドがコーヒーを煎出するために用いられる場合、蓋２０の底側２４から該柔らかいパッドを離隔させるための、離隔要素として機能する。他方、カプセルが利用され、第２の保持器１８が煎出ユニット１０に挿入されたときには、これらニップル３８は、特定の機能を持たない。これら突出部は主に、コーヒー煎出工程の後に、蓋２０が開けられたときに、蓋２０の底側２４に柔らかいパッドがくっつくことを防止するのに重要である。蓋２０の底側２４が完全に平坦であるとすると、斯かる柔らかいパッドが蓋２０にくっつき易く、使用済みのパッドの取り扱いがユーザにとって不快なものとなる。
【００５４】
図１においては更に、本実施例による空洞１４が、少なくとも部分的に、本体１２に挿入された取り外し可能なボウル４０により形成されることが分かる。ボウル４０は、コーヒー集め部とも示される。ボウル４０は、第１の保持器１６又は第２の保持器１８を受容するための、保持器の受容部として機能する。図２乃至４に示されるように、該ボウルは、底側において中央開口３６を有し、該開口を通って、煎出されたコーヒー（又はその他のいずれかの煎出された温かい飲料）が煎出ユニット１０から垂らし出されることができる。一般的に、該ボウル４０を煎出ユニット１０に固定された態様で内蔵させることも想到可能であるが、ここで図示されたような取り外し可能なボウル４０は、該製造機から取り外された後の容易に洗浄され得るという利点を持つ。該ボウル又はコーヒー集め部４０は、柔らかいパッドが第１の保持器１６と共に利用される場合、及びカプセルが第２の保持器１８共に利用される場合の、いずれの場合においても、保持器の受容部として用いられる。
【００５５】
図２乃至４は、種々の状況における煎出ユニット１０、即ち第１のタイプの保持器１６が挿入された場合（図２参照）、及び即ち第２のタイプの保持器１８が挿入された場合（図３及び４参照）の、煎出ユニット１０の断面図を示す。図４における煎出ユニット１０に挿入された第２の保持器１８'は、煎出工程に関しては図３に示された第２の保持器１８の第１の実施例と同じ原理に基づく、第２の保持器１８の更なる実施例である。２つの第２の保持器のタイプ１８と１８'の間の違いは、図５及び６を参照しながら以下に説明される。
【００５６】
図２に示された第１の状況は、柔らかいパッドのために利用される第１の保持器１６が、第１の封止部材２８に接触しているが、第２の封止部材３０とは接触していないことを示している。それ故、第１の保持器１６の場合には「第１の煎出室」とも示される、煎出室４２が、非常に大きくなる。第１の煎出室４２は、蓋２０と、柔らかいパッドが受容される第１の保持器１６のパッド受容部４４との間の空間である。第１の煎出室４２は、第１の封止部材２８により封止される。このため、第１の封止部材２８は、第１の保持器１６の上側のフランジ３２と該フランジの周縁部に沿って接触する。
【００５７】
これとは異なり、第２のタイプの保持器１８、１８'が煎出ユニット１０に挿入されたときの煎出室を示す、第２の煎出室４６は、比較的小さい。図３及び４に示されるように、第２の煎出室４６は、カプセル４８を受容するよう構成される。第２の煎出室４６は、蓋２０と、第２の保持器１８、１８'に形成されたカプセル受容部５４との間の空間を示す。第２の煎出室４６は、第２の封止部材３０により封止される。このため、第２の封止部材３０は、第２の保持器１８の上側のフランジ３４と接触する。
【００５８】
これら煎出室４２、４６の主な利点は、ここで利用される消耗品と組み合わせた、内部で生じる異なる圧力である。第１の保持器１６が煎出ユニット１０に挿入された場合、注入される液体は比較的広い領域に分散されるため、結果として第１の煎出室４２内の制約が比較的小さくなる。このことは、「通常の」コーヒーを煎出するために特に有利である。反対に、煎出ユニット１０に第２の保持器１８、１８'が挿入された場合、その結果の制約が比較的大きくなる。このことは、エスプレッソコーヒーを煎出するのに特に適している。斯くしてユーザは、「通常の」コーヒーを飲みたいかエスプレッソコーヒーを飲みたいかを選択し、当該決定に応じて、パッドと共に第１の保持器１６を利用するか、カプセルと共に第２の保持器１８、１８' を利用するかを選択できる。柔らかいパッドとカプセルとの異なる制約のため、注入される液体の流量が適合されていなくても、圧力が自動的に適合される。このとき、煎出室４２、４６の異なるサイズが、該異なる圧力を考慮するのを支援する。カプセルの高い流れの制約のため、小さなサイズの煎出室４６を持つことが有利である。そうでなければ、該システムは、高い圧力の下で崩壊してしまう。他方、柔らかいパッドの小さな流れの制約のため、大きなサイズの煎出室４２を持つことが有利である。このことは、同一の装置で、ほぼ完全な条件の下で、「通常の」コーヒー及びエスプレッソコーヒーを煎出することを可能とする。
【００５９】
図３及び４においては更に、カプセル４８が煎出ユニット１０に逆さまに置かれていること、即ち小さな側が上に、大きな側が底側にされて置かれていることが分かる。斯くして、注入される液体が、小さな側を通してカプセル４８に入り、大きな側においてカプセル４８から出る。
【００６０】
図５Ａ乃至５Ｃは、第２の保持器１８の第１の実施例を詳細に示す。本実施例によれば、第２の保持器１８は、ハンドル部５２と一体的に形成された基部５０を有する。基部５０のなかには、カプセル４８を受容するよう構成された、略カップ型のカプセル受容部５４が備えられる。上述したように、カプセル４８は、当該カプセル受容部５４に逆さまに挿入される。図５Ａに示されるように、本実施例におけるカプセル４８の底側は、複数の予め開けられた開口５６を有する。加圧された液体が供給されると、該液体はこれら開口５６を通って漏れ出る。代替としては、カプセル４８の底側は、カプセルにおいて予め開けられた開口５６が予見されない場合には、能動的に穿孔又され又は破裂させられても良い（図７Ａ乃至７Ｄ及び図８Ａ乃至８Ｃに示された実施例を参照）。カプセル容器５４の上部は、本代替例においては、スクリーン板７８（例えば図７Ａ及び８Ａ参照）によりカバーされ、該スクリーン板を通って、液体がカプセル容器５４及びカプセル４８へと導入される。斯かるスクリーン板７８は、カプセル４８を破裂させ、カプセル４８の底側に１つ以上の穴を穿つための、少なくとも１つの破裂又は穿孔要素８２を、底側に有しても良い。別個のスクリーン板７８を備える代わりに、斯かる破裂又は穿孔要素８２は一般的に、蓋２０の底側２４に配置されても良い。
【００６１】
カプセル受容部５４は、保持器の蓋５８によって、底側においてカバーされる。該保持器の蓋５８は、以下スタッド板５８とも示される。図５に示された第１の実施例によれば、該スタッド板５８は、例えばヒンジによって、第２の保持器１８の基部５０に接続される。
【００６２】
携帯型の保持器１８は更に、使用後にカプセル４８を機械的に押し出すための押し出し機構６０を有する。当該押し出し機構は、押しボタン６２及びレバー６４を有する。押しボタン６２は、レバー６４に機械的に接続される。押しボタン６２を押下することにより、レバー６４が下向きに動き、カプセル４８の外側のフランジ６６に係合して、レバー６４の下端が、カプセル受容部５４からカプセル４８を押し出す。
【００６３】
図５Ｂ及び５Ｃに更に示されるように、保持器１８の本実施例によれば、押し出し機構６０はまた、蓋／スタッド板５８を開くよう構成される。押しボタン６０が作動されると、スタッド板５８を基部５０に接続しているヒンジ（図示されていない）のまわりに、スタッド板５８が回転する。レバー６４の直線的な運動が、ラック−ピニオン式のギアを介して、スタッド板５８の回転運動に変換される。スタッド板５８は、ギアピニオン６８を有し、レバー６４は、ギアラック７０を有する。このようにして、単に押しボタン６２を押すことによって、携帯型のカプセル保持器からカプセル４８が容易に押し出され得る。押しボタン６２を押下した後にスタッド板５８を自動的に閉じるため、該押しボタンは第１のばね要素６１によってばね荷重をかけられている。
【００６４】
図６Ａ乃至６Ｃは、参照番号１８'により示される、携帯型のカプセル保持器の第２の実施例を示す。第１の実施例１８との主な相違点のひとつは、保持器１８'の基部５０'に固定的に接続されたものではない、別個の部品として実現される点である。斯くして、当該保持器１８'の使用の間、ユーザが柔らかいパッドへの変更を決定し、第１のタイプの保持器１６を煎出ユニット１０に挿入するまで、スタッド板５８'が、煎出ユニット１０のボウル／保持器の受容部４０に留まり得る。更なる相違点は、押し出し機構６０'である。押し出し機構６０'は、図５Ａ乃至５Ｃに示された押し出し機構６０とは異なり、カプセル４８を押し出すためにのみ利用され、スタッド板５８'を開くためには利用されない。スタッド板５８'は、第２の実施例によれば、手動で取り外され得る。
【００６５】
更に、押しボタン６２'が、作動の際に僅かに回転するが、レバー６４'は直線的に動かすことが分かる。
【００６６】
図５及び６に示された実施例によれば、基部５０、５０'は、少なくとも２つの別個の部分７２、７４に分割されていることも、留意されるべきである。第１の基部部分７２は、基部５０の上部を形成し、第２の基部部分７４は、基部５０の下部を形成する。２つの部分７２、７４は好適には、１つ以上のばね要素（図示されていない）を介して、互いに接続される。これらばね要素は、２つの部分７２、７４を、互いから離すように押す。斯くして、該ばね要素は、拡大要素として機能する。このことは、携帯型のカプセル保持器１８、１８'が煎出ユニット１０に挿入され、蓋２０が閉じられたときに、スタッド板５８、５８'が僅かに予め荷重をかけられるという、主な利点を持つ。蓋２０が閉じられたときに、基部５０が僅かに圧縮されることとなるため、このことは特に、スタッド板５８と第２の基部部分７４との間の封止を改善する。
【００６７】
基部５０、５０'は更に、第１の基部部分７２と第２の基部部分７４との間に配置された封止要素７６を有する。当該封止要素７６は、一種の圧力補償器として機能する。液体がカプセル４８に注入されるとすぐに、煎出室内の圧力がかなり上昇する。斯くして、第１の基部部分７２及び第２の基部部分７４は、僅かに互いから離れるよう動く。このとき、封止要素７６は、第２の基部部分７４に対する第１の基部部分７２の動きを補償し、封止が維持されるようにする。
【００６８】
更に、スタッド板５８、５８'は、煎出ユニット１０の内蔵された部分であっても良く、例えば煎出ユニット１０のボウル４０の内蔵された部分であっても良いことは、留意されるべきである。上述したばね要素は、必ずしも携帯型のカプセル保持器１８に内蔵される必要はないが、蓋２０及び／又は煎出ユニット１０のボウル４０に内蔵されても良い。
【００６９】
図７Ａ乃至７Ｄは、参照番号１８''により示される、携帯型のカプセル保持器１８の第３の実施例を示す。当該第３の実施例は、図５Ａ乃至５Ｃに示された第１の実施例と類似する。それ故、以下の説明は、上述した第１の実施例に対する相違点のみを含む。類似する又は同じ部分は、以前のものと同じ参照番号で示される。
【００７０】
主な相違点のひとつは、カプセル４８の底側に１つ以上の穴を開けるために用いられる１つ以上の穿孔要素８２の利用に関連する。これら穿孔要素８２は、スクリーン板７８の底側に配置され、該底側は、カプセル受容部５４の内側に面する側である。スクリーン板７８自体は、カプセル保持器１８''の基部５０''に結合され、保持器の蓋／スタッド板５８''とは反対側に配置される。該板は、１つ以上の開口８０を有し、該開口を通して、煎出ユニット１０の蓋２０から出てくる液体が、カプセル保持器１８''に入ることができる。
【００７１】
カプセル保持器１８''は更に、スクリーン板７８と基部５０''の第２の基部部分７４''との間に配置された第３のばね要素８４を有する。該第３のばね要素８４は、スクリーン板７８の予張力を提供し、それにより、携帯型のカプセル保持器１８''と煎出ユニット１０の蓋２０との間に、好適な封止効果が確立される。このことは、液体がスクリーン板７８に備えられた１つ以上の開口８０を介してカプセル保持器１８''に直接に入ることを確実にし、また液体がカプセル４８に入らずに該カプセルの周りを流れることを防止する。図７Ｂに示されるように、カプセル４８は、カプセル保持器１８''に入れられスタッド板５８''が閉じられると（少なくとも必ずしも）すぐには穿孔されず、煎出ユニット１０の蓋２０が閉じられるとすぐに、穿孔要素８２により穿孔される。蓋２０を閉じることは、スクリーン板７８を下向きに押し、ばね要素８４が圧縮され、カプセル４８が穿孔される。
【００７２】
本実施例においてはスクリーン板７８と第２の基部部分７４'との間に配置された、封止要素７６と共に、ばね要素８４は、一種の圧力補償器として機能する。液体がカプセル４８に注入されるとすぐに、煎出室内の圧力がかなり上昇する。斯くして、スクリーン板７８及び第２の基部部分７４'は、僅かに互いから離れるよう動く。このとき、封止要素７６及びばね要素８４は、第２の基部部分７４'に対するスクリーン板７８の動きを補償し、封止が維持されるようにする。
【００７３】
押し出し機構６０''も、図５Ａ乃至ｈ５Ｃに示された第１の実施例とは僅かに異なる。可動レバー６４''によりカプセル４８を押し出すこと、及びそれと同時にスタッド板５８''を開くことの基本原理は、カプセル保持器１８の第１の実施例を参照しながら以上に説明したものと基本的に同じであるが、レバー６４''を動かすための作動要素６２''が変更される。相違点は、図７Ａ、７Ｃ及び７Ｄに最も良く示されている。カプセル保持器１８''の第３の実施例による作動要素６２''は、ハンドル部５２''に内蔵された２本の梁６３ａ及び６３ｂを有する。これら２本の梁６３ａ、６３ｂは、ハンドル部５２''の両側に配置され、ハンドル部５２''を横方向に両側から押すことによって、これら２本の梁６３ａ、６３ｂが互いに向けて押され得るようにされる。２本の梁６３ａ、６３ｂを互いに向けて押すことは、２つの伝達要素８６ａ、８６ｂを、それぞれの軸のまわりに回転させる。２つの伝達要素８６ａ、８６ｂの回転は、可動部８８を、並進運動的な態様で下向きに移動させ、ばね要素６１（図７Ｄ参照）圧縮する。可動部８８は、カプセル４８を押し出すレバー６４''に一体的に接続されている。好適には、これらは同じ部品である。図５Ａ乃至５Ｃを参照しながら以上に説明されたように、レバー６４''の動きは、スタッド板５８''をカプセル保持器１８''の基部５０''に接続しているヒンジのまわりに、スタッド板５８''を枢動させ、これによりカプセル４８が取り外され得るようにする。
【００７４】
図８Ａ乃至８Ｃは、参照番号１８'''により示される、携帯型のカプセル保持器１８の第４の実施例を示す。該第４の実施例は、図６Ａ乃至６Ｃに示された第２の実施例と類似する。それ故、以下の説明は、上述した第２の実施例に対する相違点のみを含む。類似する又は同じ部分は、以前のものと同じ参照番号で示される。
【００７５】
第２の実施例とは異なり、第４の実施例は、第３の実施例を参照しながら以上に説明されたように、穿孔要素８２を備えたスクリーン板７８と、第２の基部部分７４'とスクリーン板７８との間に配置されたばね要素８４と、を有する。
【００７６】
カプセル保持器１８'''は更に、ヒンジ（図示されていない）により基部５０'''に接続された、フラップ９０を有する。当該フラップ９０は、カプセル保持器１８'''が煎出ユニット１０から取り出されるとすぐに、カプセル受容部５４からカプセル４８が直接に落ちることを防止する。斯くして、カプセル４８を新しいものと交換するためカプセル保持器１８'''が取り出されたときにも、保持器の蓋５８'''は煎出ユニット１０のなかに留まり得る。フラップ９０は、押し出し機構６０'''が作動されない限りカプセル４８の外側のフランジに係合するフック９２を有する。該フック９２は、カプセル受容部５４内にカプセル４８を保持し、該カプセルが落ちるのを防止する。フラップ９０は、フラップ９０に配置され押し出しレバー６４'''に配置されたギアラック７０に係合するギアピニオン６８により、押し出しレバー６４'''に結合される。斯くして、押し出し機構６０'''を作動させることが、（以上に説明されたように）押し出しレバー６４'''を下向きに動かし、同時にフラップ９０を外向きに枢動させ、これによりカプセル４８を解放する。押しボタン６２、６２'の代わりに、本実施例による押し出し機構６０'''は、（図８における矢印により示されるように）前後に動かされ得るスライダ６２'''を有する。
【００７７】
フラップ９０は更に、底部において傾斜面９４を有し、これにより、新たなカプセル４８が、スライダ６２'''を作動させる必要なく、単にカプセル保持器１８'''に挿入され得ることは、留意されるべきである。傾斜面９４及びフラップ９０の枢動構成により、フラップ９０は単に新しいカプセル４８を「はめ込む（click-in）」こととなる。
【００７８】
本発明は図面及び以上の記述において説明され記載されたが、斯かる説明及び記載は説明するもの又は例示的なものとみなされるべきであり、本発明は開示された実施例に限定されるものではない。図面、説明及び添付される請求項を読むことにより、請求される本発明を実施化する当業者によって、開示された実施例に対する他の変形が理解され実行され得る。
【００７９】
請求項において、「有する（comprising）」なる語は他の要素又はステップを除外するものではなく、「１つの（a又はan）」なる不定冠詞は複数を除外するものではない。単一の要素又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。
【００８０】
請求項におけるいずれの参照記号も、請求の範囲を限定するものとして解釈されるべきではない。
【図１】
2017503565.tif 000003
【図２】
2017503565.tif 000004
【図３】
2017503565.tif 000005
【図４】
2017503565.tif 000006
【図５Ａ】
2017503565.tif 000007
【図５Ｂ】
2017503565.tif 000008
【図５Ｃ】
2017503565.tif 000009
【図６Ａ】
2017503565.tif 000010
【図６Ｂ】
2017503565.tif 000011
【図６Ｃ】
2017503565.tif 000012
【図７Ａ】
2017503565.tif 000013
【図７Ｂ】
2017503565.tif 000014
【図７Ｃ】
2017503565.tif 000015
【図７Ｄ】
2017503565.tif 000016
【図８Ａ】
2017503565.tif 000017
【図８Ｂ】
2017503565.tif 000018
【図８Ｃ】
2017503565.tif 000019
【国際調査報告】
2017503565.tif 000020
2017503565.tif 000021
2017503565.tif 000022
2017503565.tif 000023